(57)【要約】【課題】ピストンシリンダ装置の摩耗を低減し、運動特性を改良するのを助けること。【解決手段】本発明は、ピストンシリンダ装置１のためのばねスリーブ４、５であって、少なくとも部分的にばね３を受け入れ、かつ案内するように適合され、また好ましくは円筒状スリーブ内面を有するばねスリーブに関する。また本発明は、ピストンシリンダ装置１のばね３の内側に配置されるように適合されたシリンダ２に関する。また本発明は、シリンダ２と、シリンダの周りに同心に配置されたばね３と、それぞれがばねの周りに同心に配置される内側ばねスリーブ５および外側ばねスリーブ４とを有し、シリンダおよびばねが、内側ばねスリーブおよび外側ばねスリーブの内側に配置されるピストンシリンダ装置１に関する。本発明によれば、内側ばねスリーブおよび／または外側ばねスリーブおよび／またはシリンダは、ばねに面する表面にいくつかの溝６を有する。【選択図】図１
2019105373.tif 000002
【特許請求の範囲】
【請求項１】
ピストンシリンダ装置（１）のためのばねスリーブ（４、５）であって、
前記ばねスリーブ（４、５）は、少なくとも部分的にばね（３）を受け入れるように、かつ前記ピストンシリンダ装置（１）のばね経路に沿って前記ばね（３）を案内するように適合され、
前記ばねスリーブ（４、５）は、好ましくは円筒状スリーブ内面を有し、
（ａ）前記ばねスリーブ（４、５）は、前記スリーブ内面にいくつかの溝（６）を有し、また
（ｂ）前記溝（６）の長手方向軸が、前記ピストンシリンダ装置（１）の前記ストローク経路に平行な軸方向に配向されている
ばねスリーブ（４、５）において、
（ｃ）前記溝（６）の深さが、前記軸方向に沿って変化している
ことを特徴とする、ばねスリーブ（４、５）。
【請求項２】
前記ばねスリーブ（４、５）は合成ブレンドからなり、前記合成ブレンドは、好ましくはポリアミドであるプラスチックと、好ましくは添加剤とを含み、前記添加剤は、
ポリテトラフルオロエチレンの添加剤であって、ポリテトラフルオロエチレンの割合が、好ましくは１０％〜３０％の範囲にある添加剤、または
好ましくは炭素繊維、ガラス繊維、および／またはプラスチック繊維で繊維強化されたポリアミドの添加剤
であることを特徴とする、請求項１に記載のばねスリーブ（４、５）。
【請求項３】
前記ばねスリーブ（４、５）は、円筒状スリーブ基部層（９）とスリーブ表面層（１０）とを有し、前記溝（６）は、前記スリーブ表面層（１０）内に配置され、また前記スリーブ基部層（９）と前記スリーブ表面層（１０）とは異なる材料からなることを特徴とする、請求項１または２に記載のばねスリーブ（４、５）。
【請求項４】
ピストンシリンダ装置（１）のためのシリンダ（２）であって、
前記シリンダ（２）は、前記ピストンシリンダ装置（１）のばね（３）の内側に配置されるように適合され、
（ａ）前記シリンダ（２）は、そのシリンダ外面にいくつかの溝（６）を有し、また
（ｂ）前記溝（６）の長手方向軸が、前記ピストンシリンダ装置（１）のストローク経路に平行な軸方向に配向されている
シリンダ（２）において、
（ｃ）前記溝（６）の深さが、前記軸方向に沿って変化している
ことを特徴とする、シリンダ（２）。
【請求項５】
前記シリンダ（２）は、円筒状シリンダ基部層（１１）とシリンダ表面層（１２）とを有し、前記溝（６）は、前記シリンダ表面層（１２）内に配置され、また前記シリンダ基部層（１１）と前記シリンダ表面層（１２）とは異なる材料からなることを特徴とする、請求項４に記載のシリンダ（２）。
【請求項６】
シリンダ（２）と、
前記シリンダ（２）の周りに同心に配置されたばね（３）と、
それぞれが前記ばね（３）の周りに同心に配置される、内側ばねスリーブ（５）および外側ばねスリーブ（４）と
を有するピストンシリンダ装置（１）であって、
前記シリンダ（２）および前記ばね（３）は、前記内側ばねスリーブ（５）および前記外側ばねスリーブ（４）の内側に配置され、また
前記内側ばねスリーブ（５）および／または
前記外側ばねスリーブ（４）および／または
前記シリンダ（２）
が、前記ばねに面する表面にいくつかの溝（６）を有し、前記溝（６）の長手方向軸が、前記ピストンシリンダ装置（１）のストローク経路に平行な軸方向に配向されている
ピストンシリンダ装置（１）において、
前記溝（６）の深さが、前記軸方向に沿って変化している
ことを特徴とする、ピストンシリンダ装置（１）。
【請求項７】
前記内側ばねスリーブ（５）および／または
前記外側ばねスリーブ（４）および／または
前記シリンダ（２）
のうちの少なくとも１つの表面が、前記シリンダ（２）のシリンダ表面層（１２）、および／または前記内側ばねスリーブ（５）のスリーブ表面層（１１）、および／または前記外側ばねスリーブ（４）のスリーブ表面層（１１）の材料の選択によって、前記ばね（３）の材料に関して摩擦最適化されている
ことを特徴とする、請求項６に記載のピストンシリンダ装置（１）。
【請求項８】
シリンダ（２）と、
前記シリンダ（２）の周りに同心に配置されたばね（３）と、
それぞれが前記ばね（３）の周りに同心に配置される内側ばねスリーブ（５）および外側ばねスリーブ（４）と、
を有するピストンシリンダ装置（１）の製造方法であって、
好ましくは射出成形、アディティブ法、またはサブトラクティブ法によって、前記ばね（３）に面する表面上において、
前記内側ばねスリーブ（５）および／または
前記外側ばねスリーブ（４）および／または
前記シリンダ（２）
にいくつかの溝（６）を導入するステップであって、前記溝（６）は、その長手方向軸が、前記ピストンシリンダ装置（１）のストローク経路に平行な軸方向に配向された状態で導入される、ステップ
を含む、ピストンシリンダ装置（１）の製造方法において、
前記溝（６）は、その深さが、前記軸方向に沿って変化している状態で導入される
ことを特徴とする、ピストンシリンダ装置（１）の製造方法。
【請求項９】
円筒状スリーブ基部層（９）をスリーブ表面層（１０）でコーティングすることにより前記内側ばねスリーブ（５）および／または前記外側ばねスリーブ（４）を製造するステップであって、前記溝（６）は前記スリーブ表面層（１０）内に導入される、ステップ
を含むことを特徴とする、請求項８に記載の方法。
【請求項１０】
円筒状シリンダ基部層（１１）をシリンダ表面層（１２）でコーティングすることにより前記シリンダ（２）を製造するステップであって、前記溝（６）は前記シリンダ表面層（１２）に導入される、ステップ
を含むことを特徴とする、請求項８または９に記載の方法。
【発明の詳細な説明】
【技術分野】
【０００１】
本発明は、ピストンシリンダ装置のためのばねスリーブに関し、このばねスリーブは、少なくとも部分的にばねを受け入れ、かつピストンシリンダ装置のストローク経路に沿ってばねを案内するように適合され、またばねスリーブは、好ましくは、円筒状スリーブ内面を有する。本発明は、ピストンシリンダ装置のためのシリンダにさらに関し、このシリンダは、ピストンシリンダ装置のばねの内側に配置されるように適合される。本発明はまた、シリンダと、シリンダの周りに同心に配置されたばねと、内側ばねスリーブおよび外側ばねスリーブであって、それぞれがばねの周りに同心に配置される内側ばねスリーブおよび外側ばねスリーブとを備えるピストンシリンダ装置に関し、シリンダおよびばねは、内側ばねスリーブおよび外側ばねスリーブの内側に配置される。最後に、本発明は、このようなピストンシリンダ装置の製造方法に関する。
【背景技術】
【０００２】
上記の種類のピストンシリンダ装置は、従来技術から知られ、例えば独国特許出願公開第１０２００５００７７４１Ａ１号明細書から知られている。ピストンシリンダ装置は、中央シリンダを備え、その周りに２つのばねスリーブが配置される。部分的に互いに係合する２つのばねスリーブとシリンダとの間にコイルばねが支持および案内される。ピストンシリンダ装置がストローク運動を行うと、これによってピストンシリンダ装置のばねがストローク経路に沿って圧縮または復元される。
【０００３】
この種のピストンシリンダ装置では、コイルばねの圧縮時にはコイルばねの直径が拡大し、コイルばねの復元時には直径が縮小する。よって、コイルばねの焼き付きおよびそこから生じるピストンシリンダ装置の破損を回避するために、案内部は、ある程度の許容度を持たなければならない。しかしながら、同時に、許容度が大きくなると、コイルばねの「座屈」および非弾性変形の危険性も増し、そうすると、望ましくない雑音および／またはシリンダもしくはばねスリーブに対する損傷が引き起こされる可能性がある。
【０００４】
この問題を解決するために、独国特許出願公開第１０２００５００７７４１Ａ１号明細書に記載されたピストンシリンダ装置は、シリンダ壁に向かって半径方向に向けられた弾性外側コーティングを少なくとも自身の表面上に有するコイルばねを備える。これによりコイルばねが安定し、摩擦相手（シリンダおよびばねスリーブ）の損傷の危険性が低減される。
【０００５】
しかしながら、上記の解決策は、ばねと摩擦相手との間の摩擦および摩耗を通常増加させるという欠点を有する。これに加えて、コーティングされたばねは製造が難しく、したがってピストンシリンダ装置のコストを大幅に増加させるという事実がある。
【０００６】
既知のピストンシリンダ装置の別の問題点は、摩耗、発生する雑音、および焼き付きの危険性を低減するために、ばねと摩擦相手との間に潤滑剤を使用する場合、潤滑剤の移動または蓄積がストローク運動によって生じ得るということであり、そうすると、潤滑剤の潤滑効果が制限され得る。
【先行技術文献】
【特許文献】
【０００７】
【特許文献１】独国特許出願公開第１０２００５００７７４１Ａ１号明細書
【発明の概要】
【０００８】
したがって本発明の目的は、ピストンシリンダ装置の摩耗を低減し、運動特性を改良するのを助ける、低コストのピストンシリンダ装置のためのばねスリーブ、ピストンシリンダ装置のためのシリンダ、ピストンシリンダ装置、およびそのようなピストンシリンダ装置の製造方法を提供することである。
【０００９】
本発明の意味におけるピストンシリンダ装置は、例えば、ガス圧ばね（ガススプリング）、または空気圧および／もしくは油圧ショックアブソーバとすることができる。
【００１０】
（１．ばねスリーブ）
本発明の第１の主題は、冒頭で述べた種類のピストンシリンダ装置のためのばねスリーブを提供し、このばねスリーブは、ばねスリーブが、そのスリーブ内面に１本、２本、３本、または４本以上の数の溝を有することで、本発明によるこの目的を達成する。
【００１１】
本発明によれば、「溝」は、表面にある細長い窪みを意味すると理解され、表面に平行である溝の長手方向軸に沿った溝の溝長が、長手方向軸に直交しかつ表面に平行である溝の溝幅よりも実質的に大きく、例えば少なくとも２倍、５倍、１０倍、または１００倍大きい。
【００１２】
スリーブ内面において溝を使用することは、最初、案内されるばねの摩擦相手としてのばねスリーブの全面積をより小さくし、それにより、摩擦および振動の伝達が抑制され、起こり得る雑音の発生が防止されるという効果を有する。しかしながら、同時に、達成されるばねの案内は、実質的に変化のない良好な案内になり得る。
【００１３】
これに加えて、溝がピストンシリンダ装置において使用される潤滑剤のためのリザーバとして機能する、という事実がある。特に潤滑剤の表面張力効果により、潤滑剤の残りが重力によりピストンシリンダ装置の下端部に集まる場合でさえ、溝は潤滑剤の一部を保持する。これにより潤滑油の潤滑効果が向上し、その結果、ピストンシリンダ装置の耐用年数および整備間隔が長くなる。この効果は、溝の幾何学的寸法を潤滑剤に対して調整することによって最適化することができる。
【００１４】
ピストンシリンダ装置においてスリーブを使用する場合、溝の長手方向軸は、ストローク経路に平行な軸方向に向いていると有利である。このような溝は、本発明によれば「軸方向の溝」と呼ばれる。長手方向軸を軸方向に向けることにより、達成されるばねの案内は、例えば長手方向軸をスリーブ内面の円周方向に向けた場合よりも良好な案内になる。
【００１５】
ピストンシリンダ装置においてスリーブを使用する場合、溝の溝長は、ピストンシリンダ装置のストローク運動においてばねによってカバーされるばねスリーブのスリーブばね長の少なくとも半分に相当すること、特にスリーブばね長全体に相当すること、またはスリーブばね長よりも長いことが有利である。このような溝長により、ばねがストローク運動全体にわたって最適に案内および潤滑されることが確保される。溝長がスリーブばね長よりも長い場合、この特別な利点の結果、ばね長の外側に追加的な潤滑剤リザーバが形成され、それにより、追加的な潤滑剤を必要に応じてばねに到達させることができる。
【００１６】
本発明によるばねスリーブは、ピストンシリンダ装置のための内側ばねスリーブまたは外側ばねスリーブとすることができる。
【００１７】
軸方向の溝は、好ましくは、スリーブ内面の周りに円周方向に均等に分布され、よって、例えば、次の隣接する溝に対して、３６０°／２、３６０°／３、３６０°／４、３６０°／５などのそれぞれの間隔で分布される。シリンダにおけるより良好かつより均一な圧力分布およびより良好な案内を得るために、特にエリア単位に対して、半径方向に同じ角度分布を有する少なくとも３本の溝が設けられることが好ましい。
【００１８】
溝は、好ましくは、円周方向における他のスリーブ内面への移行部に、丸みのある縁部を有する。ばねスリーブに対するばねコイルの回転中の、ばねコーティングに対する不必要な摩擦効果および損傷は、これによって回避され得る。
【００１９】
溝は、軸方向に一定の深さを有することができる。溝の深さは、ここでは、仮想の理想的な円筒状スリーブ内面からの溝の最も深い点の半径方向の距離として理解されたい。本実施形態は、例えば一体での射出成形による、ばねスリーブの簡素な製造を可能にする。しかしながら、同時に、溝の深さが一定であれば、潤滑剤は依然として溝に沿って容易に流れることができる。よって、本実施形態では、ピストンシリンダ装置のストローク運動による潤滑剤の蓄積または移動が防止されるように、「リザーバ」効果を形状によってさらに適応可能である。
【００２０】
１つの特定の実施形態では、溝の深さは軸方向に沿って変化する。溝の深さは、例えば、シリンダ軸に沿って周期的に変化するのであってもよい。本実施形態は、潤滑剤が、溝における、特に最も深い領域における表面張力によってさらに良好に保持され得るという利点を有する。よって、本実施形態では、「リザーバ」効果は幾何形状によっていっそう効果的である。他方、本実施形態は製造がより難しく、特に、スリーブ内面における溝の深さが変化する一体の射出成形はほとんど不可能であり、そのために製造コストが増加する。
【００２１】
別の実施形態では、ばねスリーブは、ポリアミド（ＰＡ）などのプラスチックと、特にポリテトラフルオロエチレン（ＰＴＦＥ）であって、ポリテトラフルオロエチレンの割合が、好ましくは１０％〜３０％の範囲、特に１５％〜２５％の範囲、特に約２０％である、ポリテトラフルオロエチレンの添加剤、またはガラス繊維強化ポリアミドの添加剤と、を含む合成ブレンドからなる。
【００２２】
ばねスリーブのための上記材料は、例えば弾性鋼などの通常のばね材料との摩擦相手として特に有利な特性を有することが判明している。ポリテトラフルオロエチレンの添加剤は、ばねとの摩擦を低減させる。特に、ポリテトラフルオロエチレンの割合が約２０％の製品の耐用年数全体にわたって特に低い摩擦をもたらすことが試行により明らかになっている。繊維強化ポリアミドの添加剤は、ばねスリーブの耐久性を高め、ばねによる摩耗を低減させる。強化繊維は、ガラス繊維、炭素繊維、および／または合成繊維であると有利であり得る。
【００２３】
別の実施形態では、ばねスリーブは、円筒状スリーブ基部層とスリーブ表面層とを備え、溝は、スリーブ表面層に配置され、好ましくは、スリーブ基部層とスリーブ表面層とは異なる材料から構成される。表面層は、好ましくは、表面硬度または摩擦低減を高めるための摩擦学的コーティングを含み、両方とも互いに対して動かされる摩擦相手の摩耗の低減に寄与する。
【００２４】
本実施形態は、スリーブ基部層が、特に耐久性があり安定な材料、例えば繊維強化ポリアミドまたはダイヤモンドライクカーボンベースのコーティングおよび／もしくは窒素ベースのコーティング（Ｃ−、ＣＮ−）から構成され得るという利点を有する一方、スリーブ表面層は、ばねとの摩擦が低減された材料から、例えばポリアミド（ＰＡ）と特にポリテトラフルオロエチレンの添加剤とを含む合成ブレンドから構成され得る。さらに、このようにして、深さが変わる溝をより容易に実現することもできる。よって、スリーブ表面層は、例えば、アディティブ法によってスリーブ基部層の内面に加えることができ、このプロセスでは、好ましくは深さの異なる溝を、形成されるスリーブ表面層に導入することができる。
【００２５】
（２．シリンダ）
本発明による目的はまた、冒頭に述べた種類のシリンダにおいて、シリンダが、そのシリンダ外面に少なくとも１本の溝、特に２本、３本、または４本以上の溝を有することで達成される。
【００２６】
ここでも、シリンダ外面において溝を使用することは、最初、案内されるばねの摩擦相手としてのばねスリーブの全面積をより小さくし、それにより、摩擦および振動の伝達が抑制され、起こり得る雑音の発生が防止されるという効果を有する。しかしながら、同時に、達成されるばねの案内は、実質的に変化のない良好な案内になり得る。
【００２７】
これに加えて、溝がピストンシリンダ装置において使用される潤滑剤のためのリザーバとして機能する、という事実がある。特に潤滑剤の表面張力効果により、潤滑剤の残りが重力によりピストンシリンダ装置の下端部に集まる場合でさえ、溝は潤滑剤の一部を保持する。これにより、潤滑油の潤滑効果が向上し、その結果、ピストンシリンダ装置の耐用年数および整備間隔が長くなる。この効果は、溝の幾何学的寸法を潤滑剤に対して調整することによって最適化することができる。
【００２８】
ピストンシリンダ装置においてシリンダを使用する場合、溝の長手方向軸は、ストローク経路に平行な軸方向に向いていると有利である。このような溝は、本発明によれば「軸方向の溝」と呼ばれる。長手方向軸を軸方向に向けることにより、達成されるばねの案内は、例えば長手方向軸をシリンダ外面の円周方向に向けた場合よりも良好な案内になる。
【００２９】
ピストンシリンダ装置においてシリンダを使用する場合、溝の溝長は、ピストンシリンダ装置のストローク運動においてばねによってカバーされるシリンダのシリンダばね長の少なくとも半分に相当すること、特にシリンダばね長全体に相当することが有利である。このような溝長により、ばねがストローク運動全体にわたって最適に案内および潤滑されることが確保される。
【００３０】
軸方向の溝は、好ましくは、シリンダ外面の周りに円周方向に均等に分布され、よって、例えば、次の隣接する溝に対して、３６０°／２、３６０°／３、３６０°／４、３６０°／５などのそれぞれの間隔で分布される。シリンダにおけるより良好かつより均一な圧力分布およびより良好な案内を得るために、特に各エリア単位に対して、半径方向に同じ角度分布を有する少なくとも３本の溝が設けられることが好ましい。
【００３１】
溝は、好ましくは、円周方向における他のシリンダ外面への移行部に丸みのある縁部を有する。シリンダに対するばねコイルの回転中の、ばねコーティングに対する不必要な摩擦効果および損傷は、これによって回避され得る。
【００３２】
溝は、軸方向に一定の深さを有することができる。溝の深さは、ここでは、仮想の理想的な円筒状シリンダ外面からの溝の最も深い点の半径方向の距離として理解されたい。本実施形態は、シリンダの簡素な製造を可能にする。しかしながら、同時に、溝の深さが一定であれば、潤滑剤は依然として溝に沿って容易に流れることができる。よって、本実施形態では、ピストンシリンダ装置のストローク運動による潤滑剤の蓄積または移動が防止されるように、「リザーバ」効果を形状によってさらに適応可能である。
【００３３】
本用途の状況における構成要素としての「シリンダ」は、通常、理想的には円筒状ではないが、好ましくは少なくとも円筒状の外面を有する。
【００３４】
１つの特定の実施形態では、溝の深さは軸方向に沿って変化する。溝の深さは、例えば、シリンダ軸に沿って周期的に変化するのであってもよい。本実施形態は、潤滑剤が、溝における、特に最も深い領域における表面張力によってさらに良好に保持され得るという利点を有する。よって、本実施形態では、「リザーバ」効果は幾何形状によっていっそう効果的である。他方、本実施形態は、シリンダ外面に特に様々な深さの溝を有するシリンダの一体の射出成形による製造がより難しく、そのために製造コストが増加する。
【００３５】
別の実施形態では、シリンダは、円筒状シリンダ基部層とシリンダ表面層とを備え、溝は、シリンダ表面層に配置され、好ましくは、シリンダ基部層とシリンダ表面層とは異なる材料から構成される。
【００３６】
本実施形態は、シリンダ基部層が、特に耐久性があり安定な材料、例えばガラス繊維強化ポリアミドから構成され得るという利点を有する一方、シリンダ表面層は、ばねとの摩擦が低減された材料から、例えばポリアミド（ＰＡ）と特にポリテトラフルオロエチレンの添加剤とを含む合成ブレンドから構成され得る。さらに、このようにして、深さが変わる溝をより容易に実現することもできる。よって、シリンダ表面層は、例えば、アディティブ法によってシリンダ基部層の外面に加えることができ、このプロセスでは、好ましくは深さの異なる溝を、形成されるシリンダ表面層に導入することができる。
【００３７】
（３．ピストンシリンダ装置）
本発明による目的はまた、冒頭に述べた種類のピストンシリンダ装置において、内側ばねスリーブおよび／または外側ばねスリーブおよび／またはシリンダが、ばねに面する表面上に少なくとも１本の溝、特に２本、３本、または４本以上の溝を有することで達成される。
【００３８】
よって、本発明によれば、溝は、ピストンシリンダ装置の３つの部品のうちの１つ、２つ、または３つすべての上記の部品に配置することができる。ここでも、溝を使用することは、最初、案内されるばねの摩擦相手としてのばねスリーブの全面積をより小さくし、それにより、摩擦および振動の伝達が抑制され、起こり得る雑音の発生が防止されるという効果を有する。しかしながら、同時に、達成されるばねの案内は、実質的に変化のない良好な案内になり得る。
【００３９】
これに加えて、溝は、ピストンシリンダ装置において使用される潤滑剤のためのリザーバとして機能するという事実がある。特に潤滑剤の表面張力効果により、潤滑剤の残りが重力によりピストンシリンダ装置の下端部に集まる場合でさえ、溝は潤滑剤の一部を保持する。これにより、潤滑油の潤滑効果が向上し、その結果、ピストンシリンダ装置の耐用年数および整備間隔が長くなる。この効果は、溝の幾何学的寸法を潤滑剤に対して調整することによって最適化することができる。
【００４０】
溝は、好ましくは、少なくとも内側ばねスリーブのばねに面する表面に、より好ましくはシリンダのばねに面する表面にも配置される。よって、ピストンシリンダ装置の長い休止段階の後でさえも、低減された摩擦およびばねの良好な潤滑を達成することができる。
【００４１】
溝の長手方向軸は、ストローク経路に平行な軸方向に向けられると有利である。このような溝は、本発明によれば「軸方向の溝」と呼ばれる。長手方向軸を軸方向に向けることにより、達成されるばねの案内は、例えば長手方向軸をスリーブ内面またはシリンダ外面の円周方向に向けた場合よりも良好な案内になる。
【００４２】
溝の溝長は、ピストンシリンダ装置のストローク運動においてばねによってカバーされるばねスリーブのスリーブばね長またはシリンダのシリンダばね長の少なくとも半分に相当すること、特にスリーブばね長またはシリンダばね長全体に相当すること、またはスリーブばね長またはシリンダばね長よりも長いことが有利である。このような溝長により、ばねがストローク運動全体にわたって最適に案内および潤滑されることが確保される。溝長がスリーブばね長またはシリンダばね長よりも長い場合、この特別な利点の結果、ばね長の外側に追加的な潤滑剤リザーバが形成され、それにより、追加的な潤滑剤を必要に応じてばねに到達させることができる。
【００４３】
軸方向の溝は、内側ばねスリーブおよび／または外側ばねスリーブのスリーブ内面（一方または両方）、ならびに／あるいはシリンダのシリンダ外面の周りに円周方向に均等に分布させることが好ましく、よって、例えば、次の隣接する溝に対して、３６０°／２、３６０°／３、３６０°／４、３６０°／５などのそれぞれの間隔で分布させることが好ましい。シリンダにおけるより良好かつより均一な圧力分布およびより良好な案内を得るために、特に各エリア単位に対して、半径方向に同じ角度分布を有する少なくとも３本の溝が設けられることが好ましい。
【００４４】
溝は、好ましくは、円周方向における他のスリーブ内面またはシリンダ外面への移行部に、丸みのある縁部を有する。ばねスリーブ（一方または両方）またはシリンダに対するばねコイルの回転中の、ばねコーティングに対する不必要な摩擦効果および損傷は、これによって回避され得る。
【００４５】
溝は、軸方向に一定の深さを有することができる。溝の深さは、ここでは、仮想の理想的な円筒状スリーブ内面またはシリンダの仮想の理想的な円筒状外面からの溝の最も深い点の半径方向の距離として理解されたい。本実施形態は、例えば一体での射出成形による、ばねスリーブまたはシリンダの簡素な製造を可能にする。しかしながら、同時に、溝の深さが一定であれば、潤滑剤は依然として溝に沿って容易に流れることができる。よって、本実施形態では、ピストンシリンダ装置のストローク運動による潤滑剤の蓄積または移動が防止されるように、「リザーバ」効果を形状によってさらに適応可能である。
【００４６】
一実施形態では、溝の深さは軸方向に沿って変化する。溝の深さは、例えば、シリンダ軸に沿って周期的に変化するのであってもよい。本実施形態は、潤滑剤が、溝における、特に最も深い領域における表面張力によってさらに良好に保持され得るという利点を有する。よって、本実施形態では、「リザーバ」効果は幾何形状によっていっそう効果的である。他方、本実施形態は製造がより難しく、特に、一体の射出成形はほとんど不可能であり、そのために製造コストが増加する。
【００４７】
ピストンシリンダ装置のためのばねスリーブの実施形態およびピストンシリンダ装置のためのシリンダの実施形態に関連して説明したすべての特徴はまた、本発明によるピストンシリンダ装置に関して個々にまた任意の組み合わせで特許請求される。
【００４８】
一実施形態では、ばねはフロック加工されていない。従来技術では、ピストンシリンダ装置におけるばねは、雑音の発生を最小限に抑え、それにもかかわらずばねの安定した装着を達成するために、少なくとも摩擦部の上においてフロック加工されている。しかしながら、フロック加工されたばねは、フロック加工繊維が摩擦相手（ばねスリーブ（一方または両方）および／またはシリンダ）と溝内で同様に擦れると、本発明の溝の効果を部分的に低減または打ち消し、他方では、溝における「リザーバ」から使用されているあらゆる潤滑剤を除去する。
【００４９】
１つの特定の実施形態では、内側ばねスリーブおよび／または外側ばねスリーブおよび／またはシリンダのうちの少なくとも１つの表面が、ばねの材料に関して、好ましくはシリンダのシリンダ表面層、および／または内側ばねスリーブおよび／または外側ばねスリーブのスリーブ表面層の材料の選択によって、摩擦最適化される。
【００５０】
例えば、ポリアミドと、ポリテトラフルオロエチレンであって、ポリテトラフルオロエチレンの割合が、好ましくは１０％〜３０％の範囲、特に１５％〜２５％の範囲、特に約２０％である、ポリテトラフルオロエチレンの添加剤とを含む合成ブレンドからのスリーブ表面層および／またはシリンダ表面層は、例えばばね鋼のばねに関して有利な摩擦特性を有することが判明している。
【００５１】
（４．ピストンシリンダ装置の製造方法）
本発明の目的はまた、
シリンダと、
シリンダの周りに同心円状に配置されたばねと、
内側ばねスリーブおよび外側ばねスリーブであって、それぞれがばねの周りに同心円状に配置される、内側ばねスリーブおよび外側ばねスリーブと、
を備えるピストンシリンダ装置の製造方法であって、本方法は、好ましくは射出成形、アディティブ法、またはサブトラクティブ法によって、ばねに面する表面上において、
内側ばねスリーブおよび／または
外側ばねスリーブおよび／または
シリンダ
に溝を導入するステップ
により特徴付けられるピストンシリンダ装置の製造方法によって達成される。
【００５２】
本発明による製造方法により、上記の利点を有する本発明によるピストンシリンダ装置を得ることができる。このようにして、溝は、ピストンシリンダ装置の１つ、２つ、または３つすべての名称の付いた部分に、好ましくは少なくとも内側ばねスリーブに導入することができる。ここでも、溝を使用することは、最初、案内されるばねの摩擦相手としてのばねスリーブの全面積をより小さくし、それにより、摩擦および振動の伝達が抑制され、起こり得る雑音の発生が防止されるという効果を有する。しかしながら、同時に、達成されるばねの案内は、実質的に変化のない良好な案内になり得る。
【００５３】
溝の長手方向軸は、ピストンシリンダ装置の装着後に、ストローク経路に平行な軸方向に向いていると有利である。このような溝は、本発明によれば「軸方向の溝」と呼ばれる。長手方向軸を軸方向に向けることにより、達成されるばねの案内は、例えば長手方向軸をスリーブ内面またはシリンダ外面の円周方向に向けた場合よりも良好な案内になる。
【００５４】
溝の溝長は、ピストンシリンダ装置のストローク運動においてばねによってカバーされるばねスリーブのスリーブばね長またはシリンダのシリンダばね長の少なくとも半分に相当すること、特にスリーブばね長またはシリンダばね長全体に相当すること、またはスリーブばね長またはシリンダばね長よりも長いことが有利である。このような溝長により、ばねがストローク運動全体にわたって最適に案内および潤滑されることが確保される。溝長がスリーブばね長またはシリンダばね長よりも長い場合、この特別な利点の結果、ばね長の外側に追加的な潤滑剤リザーバが形成され、それにより、追加的な潤滑剤を必要に応じてばねに到達させることができる。
【００５５】
１つの特定の実施形態では、溝は、軸方向に沿って深さが変化する状態で導入される。本実施形態は、上で既に述べたように、溝に導入されるあらゆる潤滑剤に関するリザーバ効果を改善する。しかしながら、このような溝をばねスリーブ（一方または両方）の内面に導入することは難しい。
【００５６】
先の実施形態の代わりに、溝を一定の深さとして導入することもできる。このことには、特にばねスリーブの製造がより簡単であるという利点がある。スリーブの内面に深さが変わる溝を導入することは、特にスリーブを一体に製造する場合には難しい。
【００５７】
別の実施形態では、本方法は、円筒状スリーブ基部層をスリーブ表面層でコーティングすることにより内側ばねスリーブおよび／または外側ばねスリーブを製造するステップを含み、溝はスリーブ表面層に導入される。本実施形態では、軸方向に深さが変化する溝を導入するのがより容易である。さらに、スリーブ基部層（一方または両方）の材料は、できるだけ安定するように選択することができるが、スリーブ表面層（一方または両方）の材料は、ばねとの摩擦に関して最適化することができる、すなわち、摩擦学的コーティングを使用できる。
【００５８】
一実施形態では、本方法は、円筒状シリンダ基部層をシリンダ表面層でコーティングすることによりシリンダを製造するステップを含み、溝はシリンダ表面層に導入される。本実施形態では、軸方向に深さが変化する溝を導入するのがより簡単である。さらに、シリンダ基部層（一方または両方）の材料は、できるだけ安定するように選択することができるが、シリンダ表面層（一方または両方）の材料は、ばねとの摩擦に関して最適化すること、すなわち、摩擦学的コーティングを使用することができる。
【００５９】
本発明の他の利点、目的、および特性は、本発明の実施形態が例として示されている、以下の説明および添付の図面によって説明される。図面において、少なくとも実質的にそれらの機能に関して対応する構成要素は、この場合、同じ参照番号によって特徴付けることができ、これらの構成要素は、必ずしもすべての図で番号付けおよび説明されない。
【図面の簡単な説明】
【００６０】
【図１】本発明によるピストンシリンダ装置、ならびに本発明によるばねスリーブおよび本発明によるシリンダの概略断面図である。
【図２】本発明によるピストンシリンダ装置の図１のＡ−Ａ面における断面図である。
【図３】第１の実施形態における図１のＢ１、Ｂ２またはＢ３のセクションの概略断面図である。
【図４】第２の実施形態における図１のＢ１、Ｂ２またはＢ３のセクションの概略断面図である。
【図５】第３の実施形態における図１のＢ１、Ｂ２またはＢ３のセクションの概略断面図である。
【図６】第４の実施形態における図１のＢ１、Ｂ２またはＢ３のセクションの概略断面図である。
【発明を実施するための形態】
【００６１】
図１は、シリンダ２と、ばね３と、外側ばねスリーブ４と、内側ばねスリーブ５とを備える本発明によるピストンシリンダ装置１の概略断面図を示している。２つのばねスリーブ４、５は、中央に配置されたシリンダ２の周りに同心円状に配置されている。部分的に互いに係合する２つのばねスリーブ４、５と、シリンダ２との間にばね３が支持および案内される。外側ばねスリーブ４は、内側ばねスリーブ５の外径よりも大きな内径を有し、それにより内側ばねスリーブ５は、ピストンシリンダ装置１に負荷がかかったときに、外側ばねスリーブ４の中にさらに入り込むことができる。
【００６２】
シリンダ２の内部には、例えばガス圧ばね（ガススプリング）を配置することもできるし、シリンダ２をガス圧ばねの一部にすることもできる。シリンダ２はまた、シリンダ２を短くまたは長くするために、部分的に互いに入り込むことができるいくつかのシリンダセグメントから構成することもできる。したがってここでは単に簡潔にするためにシリンダ２は一体であるものとして描かれている。
【００６３】
図２は、図１のＡ−Ａ面における断面図を示している。ここでは、本発明の一実施形態のみが一例として示されており、本実施形態は、内側ばねスリーブ５にのみ軸方向の溝６を有している。
【００６４】
スリーブ内面における軸方向の溝は、案内されるばね３の摩擦相手として与えられるばねスリーブの全面積をより小さくする。ここでは、ばね３は、内側ばねスリーブ５との摩擦面積の減少を明確にするために、ハッチングされた円形のリングによって断面が表されている。点線は、軸方向の溝６のない別の内側ばねスリーブ５の輪郭を表している。
【００６５】
軸方向の溝６はまた、ピストンシリンダ装置１において使用される潤滑剤のためのリザーバとして機能する。潤滑剤の残り（余り）が重力によりピストンシリンダ装置１の下端部に集まる場合でさえ、潤滑剤の表面張力効果によって溝６は潤滑剤の一部を保持する。この効果は、溝の幾何学的寸法を潤滑剤に対して調整することによって最適化することができる。
【００６６】
図３〜図６は、図１の平面領域Ｂ１、Ｂ２、およびＢ３の単純化した概略断面図を示している。よって、図示の構造は、ばね３と内側ばねスリーブ５との間（Ｂ１）、またはばね３と外側ばねスリーブ４との間（Ｂ２）、またはばね３とシリンダ２との間（Ｂ３）の接触領域に対応し得る。
【００６７】
図３は、ばね３と、軸方向の溝６のエリアにおけるばねスリーブ４、５またはシリンダ２のうちの１つの表面との間の接触領域の概略断面図を示している。ばね３は、溝エリアの外側で摩擦相手と接触しているが、示されたエリアでは直接接触していないことが認識されよう。よって、ばね３との摩擦相手として利用可能なばねスリーブ４、５またはシリンダ２の表面全体が減少する。さらに、軸方向の溝６に潤滑剤を導入することができる。すると、溝は、潤滑剤のためのリザーバとして作用し、ピストンシリンダ装置が長時間停止しているときに、潤滑剤がピストンシリンダ装置１の一端に完全に集まるのを防止する。本実施形態の軸方向の溝６は、軸方向に（図３〜図６ではそれぞれ水平方向に）沿って一定の深さＨ１を有する。
【００６８】
図４は、ばね３と、軸方向の溝６のエリアにおけるばねスリーブ４、５またはシリンダ２のうちの１つの表面との間の接触領域の別の概略断面図を示している。先の実施形態とは対照的に、ここでは軸方向の溝６は軸方向に深さが変化する。溝６の深さは、溝最高点７での最小深さＨ２と、溝最低点８での最大深さＨ３との間で変化する。本実施形態の軸方向の溝６は、周期的に変化する深さ、例えば正弦曲線の輪郭を有する。
【００６９】
図５は、ばね３と、軸方向の溝６のエリアにおけるばねスリーブ４、５またはシリンダ２のうちの１つの表面との間の接触領域のさらに別の概略断面図を示している。図３のように、本実施形態の軸方向の溝６は一定の深さＨ１を有する。
【００７０】
しかしながら、本実施形態では、ばねスリーブ４、５および／またはシリンダ２は、少なくとも２つの層を有する。
【００７１】
外側ばねスリーブ４および／または内側ばねスリーブ５は、スリーブ基部層９とスリーブ表面層１０とを有し、かつ／またはシリンダは、シリンダ基部層１１とシリンダ表面層１２とを有する。
【００７２】
軸方向の溝６は、スリーブ表面層１０またはシリンダ表面層１２内に完全に配置される。軸方向の溝６は、例えばスリーブ表面層１０またはシリンダ表面層１２をそれぞれの基部層９、１１に加える（塗布する）ときに導入することができる。
【００７３】
それぞれの基部層９、１１は、機械的に特に耐久性があり安定した材料、例えばガラス繊維強化ポリアミドから構成され得る。それぞれの表面層１０、１２は、ばね３の材料（例えば、ばね鋼）に対する摩擦が低減された材料、例えばポリアミドとポリテトラフルオロエチレンの添加剤とを含む合成ブレンド（シンセティックブレンド）からなることができる。
【００７４】
図６は、ばね３と、軸方向の溝６のエリアにおけるばねスリーブ４、５またはシリンダ２のうちの１つの表面との間の接触領域のさらに別の概略断面図を示している。図４の実施形態の場合と同様に、軸方向の溝６は軸方向に深さが変化する。溝６の深さは、溝最高点７での最小深さＨ２と溝最低点８での最大深さＨ３との間で変化する。
【００７５】
本実施形態では、ばねスリーブ４、５および／またはシリンダ２は、図５の実施形態と同様に、少なくとも２つの層を有する。
【００７６】
外側ばねスリーブ４または内側ばねスリーブ５は、スリーブ基部層９とスリーブ表面層１０とを有し、あるいはシリンダは、シリンダ基部層１１とシリンダ表面層１２とを有する。この対応関係は、材料の選択に関しても図５のように当てはまる。
【００７７】
本実施形態の軸方向の溝６は、周期的に変化する深さ、例えば正弦曲線の輪郭を有する。
【符号の説明】
【００７８】
１  ピストンシリンダ装置
２  シリンダ
３  ばね
４  外側ばねスリーブ
５  内側ばねスリーブ
６  溝
７  溝最高点
８  溝最低点
９  スリーブ基部層
１０  スリーブ表面層
１１  シリンダ基部層
１２  シリンダ表面層
【図１】
2019105373.tif 000003
【図２】
2019105373.tif 000004
【図３】
2019105373.tif 000005
【図４】
2019105373.tif 000006
【図５】
2019105373.tif 000007
【図６】
2019105373.tif 000008
【外国語明細書】
2019105373000001.pdf